(57)【要約】      （修正有）【課題】ネクタイのワイシャツ襟首回りの結び締め付けを行わないで、首の圧迫感を開放し、早急に装着、着脱が出来て、外観形状は既存のネクタイと遜色が無いネクタイを提供する。【解決手段】ネクタイ上部を逆三角形にし開口部を設けて紐をつけ、紐をワイシャツ襟首に掛け、更に前記紐を通したネクタイの紐を押え上下移動する襟首掛け紐上下調節支持物３をネクタイの裏側につけることにより、ワイシャツ襟首掛けのネクタイの上下任意調節、着脱が可能である、ネクタイの概観、形状は既存のネクタイと遜色が無いワイシャツ襟首掛紐１が付いたネクタイを提供する。【選択図】図１
0003234038.tif 000002
【実用新案登録請求の範囲】
【請求項１】
ネクタイ上部を逆三角形にし開口部を設けて紐をつけ、紐をワイシャツ襟首に掛け、更にネクタイ襟首掛け紐上下調節用支持物をネクタイの裏側につけることにより、ワイシャツ襟首掛け後のネクタイの上下任意調節、着脱が可能であること、ネクタイの外観形状は、既存のネクタイと遜色が無い、ワイシャツ襟首掛け紐付きネクタイ。
【考案の詳細な説明】
【技術分野】
【０００１】  本考案はネクタイの簡易早急装着、着脱及び紐の襟首掛け紐上下調節支持物による任意  上下調節で襟首圧迫感からの開放と、ネクタイの外観、形状は既存のネククイと遜色が  ないこと。
【背景技術】
【０００２】  従来のネクタイは、ワイシャツの襟の上より襟首回りをネクタイで結び締め付け後に容姿を整えできた。
【考案の概要】
【考案が解決しようとする課題】
【０００３】  従来のネクタイは、ワイシャツの襟の上より襟首回りの結び締め付け後に容姿を整えてきましたが、従来のネクタイの結び締め付けを変えて、襟首紐掛け式にして早急に装着と着脱ができること及び襟首掛け紐上下調節支持物により襟首圧迫感からの開放と、ネクタイ外観、形状が既存のネクタイと遜色が無いこと。
【課題を解決するための手段】
【０００４】  本考案はネクタイ上部を逆三角形とし、左右に開口部を設けて紐をつけ、さらに襟首掛け紐上下調節支持物をネクタイの裏側につけることにより、ワイシャツ襟首掛け後のネクタイの上下調節が可能である、襟首掛け紐をワイシャツの襟首に掛けるときは、紐の輪を大きくして掛けた後、襟首掛け紐を引張り、襟首掛け紐上下調節支持物を上に持ち上げ、任意のところで止める、紐を緩めるときは、襟首掛け紐上下支持物を下に引張り、紐を持ち上げると、ワイシャツ襟首回りの輪が大きくなり、外すことが出来る。
【考案の効果】
【０００５】  首掛け紐をワイシャツの襟に掛けるときは、紐の輪を大きくして掛けた後、襟首掛け紐を引張り、襟首掛け紐上下調節支持物を、上に持ち上げることによりワイシャツの襟の首回りの締め付け任意調節が可能である、紐を緩めるときは、襟首掛け紐上下支持物を下に引張り、紐を持ち上げると、ワイシャツ襟首回りの輪が大きくなり、紐を外すことが出来る。
【図面の簡単な説明】
【０００６】
【図１】本考案のワイシャツ襟首掛け紐始動時の装着正面図、右側面図
【図２】本考案のワイシャツ襟首掛け紐調節後の装着正面図、右側面図
【図３】本考案のワイシャツ襟首掛け紐始動時の装着背面図、右側面図
【図４】本考案のワイシャツ襟首掛け紐調節後の装着背面図、右側面図
【考案を実施するための形態】
【０００７】  首掛け紐をワイシャツの襟に掛けるときは、紐の輪を大きくして掛けた後、襟首掛け紐を引張り、襟首掛け紐上下調節支持物を、上に持ち上げることによりワイシャツ襟の、首回り締め付け後の任意調節が可能である、紐を緩める時は、襟首掛け紐調節支持物を下に引張り紐を持ち上げると襟首回りの紐の輪が大きくなり、外すことが出来る。
【実施例】
【０００８】  以下、添付図面に従って一実施例を説明する。１はワイシャツの襟首掛け紐で、襟首に掛けるときは、ワイシャツ襟首掛紐の輪を大きくして襟首に掛け、３のワイシャツ襟首掛け紐上下支持物を上に持ち上げ、襟首の締め付けを任意調節する、ネククイを外すときは襟首掛け紐上下調節支持物を下に下げ、ワイシャツ襟首掛け紐を上に持ち上げると、紐の輪が大きくなりワイシャツ襟首より外す、２はネクタイ正面本体部、４はネクタイ裏側本体部、５はネクタイの形状を整える、ネクタイ絞り部・
【符号の説明】
【０００９】１  ワイシャツ襟首掛紐
２  ネクタイ正面本体部
３  襟首掛け紐上下調節支持物
４  ネクタイ裏側本体部
５  ネクタイ裏側絞り部
【図１】
0003234038.tif 000003
【図２】
0003234038.tif 000004
【図３】
0003234038.tif 000005
【図４】
0003234038.tif 000006
【手続補正書】
【提出日】令和2年7月22日(2020.7.22)
【手続補正１】
【補正対象書類名】実用新案登録請求の範囲
【補正対象項目名】全文
【補正方法】変更
【補正の内容】
【実用新案登録請求の範囲】
【請求項１】
ネクタイ上部を逆三角形にし開口部を設けて紐をつけ、紐をワイシャツ襟首に掛け、更に前記紐を通したネクタイ襟首掛け紐上下調節用支持物（紐を抑える反動性のもので内側に突起物をけて紐が任意のところで止まるもの）をネクタイの裏側につけることにより、ワイシャツ襟首掛け後のネクタイの上下任意調節、着脱が可能であること、ネクタイの外観形状は既存のネクタイと遜色が無い、ワイシャツ襟首掛け紐付きネクタイ。
【手続補正３】
【補正対象書類名】明細書
【補正対象項目名】０００６
【補正方法】変更
【補正の内容】
【０００６】
【図１】本考案のワイシャツ襟首掛け紐始動時の装着正面図、右側面図
【図２】本考案のワイシャツ襟首掛け紐調節後の装着正面図、右側面図
【図３】本考案のワイシャツ襟首掛け紐始動時の装着背面図、右側面図
【図４】本考案のワイシャツ襟首掛け紐調節後の装着背面図、右側面図
【図５】本考案のワイシャツ襟首掛け紐調節支持物の拡大図、上面図、背面図
【手続補正４】
【補正対象書類名】明細書
【補正対象項目名】０００８
【補正方法】変更
【補正の内容】
【０００８】  以下、添付図面に従って一実施例を説明する。１はワイシャツの襟首掛け紐で、襟首に掛けるときは、ワイシャツ襟首掛紐の輪を大きくして襟首に掛け、３のワイシャツ襟首掛け紐上下支持物を上に持ち上げ、襟首の締め付けを任意調節する、ネククイを外すときは襟首掛け紐上下調節支持物を下に下げ、ワイシャツ襟首掛け紐を上に持ち上げると、紐の輪が大きくなりワイシャツ襟首より外す、２はネクタイ正面本体部、４はネクタイ裏側本体部、５はネクタイの形状を整える、ネクタイ絞り部・６は襟首掛け紐調節支持物突起。
【手続補正５】
【補正対象書類名】明細書
【補正対象項目名】０００９
【補正方法】変更
【補正の内容】
【０００９】１  ワイシャツ襟首掛紐
２  ネクタイ正面本体部
３  襟首掛け紐上下調節支持物
４  ネクタイ裏側本体部
５  ネクタイ裏側絞り部
６  襟首掛け紐調節支持物突起
【手続補正６】
【補正対象書類名】図面
【補正対象項目名】図５
【補正方法】追加
【補正の内容】
【図５】
0003234038.tif 000007
【手続補正書】
【提出日】令和2年11月6日(2020.11.6)
【手続補正１】
【補正対象書類名】実用新案登録請求の範囲
【補正対象項目名】全文
【補正方法】変更
【補正の内容】
【実用新案登録請求の範囲】
【請求項１】
ネクタイ上部を逆三角形にし開口部を設けて紐をつけ、紐をワイシャツ襟首に掛け、更に前記紐を通した「ネクタイの紐を押え上下移動する」襟首掛け紐上下調節用支持物をネクタイの裏側につけることにより、ワイシャツ襟首掛け後のネクタイの上下任意調節、着脱可能であること、ネクタイの外観形状は既存のネクタイと遜色が無いワイシャツ襟首掛け紐付ネクタイ。
【手続補正２】
【補正対象書類名】明細書
【補正対象項目名】０００１
【補正方法】変更
【補正の内容】
【０００１】  本考案はネクタイの簡易早急装着、着脱及び「ネクタイの紐を押え上下移動する」紐の襟首掛け紐上下調節支持物による任意上下調節で、襟首圧迫感の開放とネクタイの外観、形状は既存のネクタイと遜色がなこと
【手続補正３】
【補正対象書類名】明細書
【補正対象項目名】０００３
【補正方法】変更
【補正の内容】
【０００３】  従来のネクタイは、ワイシャツの襟の上より襟首回りの結び締め付け後に容姿を整えてきましたが、従来のネクタイの結び締め付けを変えて、襟首紐掛け式にして早急に装着と着脱ができること及び「ネクタイの紐を押え上下移動する」襟首掛け紐上下調節支持物により襟首圧迫感からの開放と、ネクタイの外観形状が既存のネクタイと遜色がないこと。
【手続補正４】
【補正対象書類名】明細書
【補正対象項目名】０００４
【補正方法】変更
【補正の内容】
【０００４】  本考案はネクタイ上部を逆三角形とし、左右に開口部を設けて紐をつけ、さらに「ネクタイの紐を押え上下移動する」襟首掛け紐上下調節支持物をネクタイの裏側につけることでネクタイの上下調節が可能である、襟首掛け紐をワイシャツの襟首に掛けるときは紐の輪を大きくして掛けた後「紐下げ吊り輪を持ち」襟首掛け紐を引張り襟首掛け紐上下調節支持物を上に持ち上げ任意のところで止める、紐を緩めるときは「ネクタイの上部を持ち」襟首掛け紐上下調節支持物を下に引張り、紐を持ち上げるとワイシャツの襟首回りの輪が大きくなり、外すこと出来る。
【手続補正５】
【補正対象書類名】明細書
【補正対象項目名】０００５
【補正方法】変更
【補正の内容】
【０００５】  首掛け紐をワイシャツの襟に掛けるときは、紐の輪を大きくして掛けた後、「紐下げ吊り輪を持ち」襟首掛け紐を引張り「ネクタイの紐を押え上下移動する」襟首掛け紐上下調節支持物を上に持ち上げることより、ワイシャツの襟の首回の締め付け任意調節が可能である、紐を緩めるときは、「ネクタイの上部を持ち」襟首掛け紐上下支持物を下に引張り、紐を持ち上げると首回りの輪が大きくなり、紐を外すことが出来る。
【手続補正６】
【補正対象書類名】明細書
【補正対象項目名】０００６
【補正方法】変更
【補正の内容】
【０００６】
【図１】本考案のワイシャツ襟首掛け紐始動時の装着正面図、右側面図
【図２】本考案のワイシャツ襟首掛け紐調節後の装着正面図、右側面図
【図３】本考案のワイシャツ襟首掛け紐始動時の装着背面図、右側面図
【図４】本考案のワイシャツ襟首掛け紐調節後の装着背面図、右側面図
【図５】本考案のワイシャツ襟首掛け紐調節支持物の拡大図、上面図、背面図
【手続補正７】
【補正対象書類名】明細書
【補正対象項目名】０００７
【補正方法】変更
【補正の内容】
【０００７】  首掛け紐をワイシャツの襟に掛けるときは、紐の輪を大きくして掛けた後、「紐下げ吊り輪を持ち」襟首掛け紐を引張り「ネクタイの紐を押え上下移動する」襟首掛け紐上下調調節支持物を上に持ち上げることによりワイシャツの襟の首回りの締め付け任意調節が可可能である、紐を緩めるときは「ネクタイの上部を持ち」襟首掛け紐上下調節支持物を下に引張り、紐を持ち上げるとワイシャツ首回りの輪が大きくなり紐を外すことが出来る。
【手続補正８】
【補正対象書類名】明細書
【補正対象項目名】０００８
【補正方法】変更
【補正の内容】
【０００８】  以下、添付図面に従って一実施例を説明する．１はワイシャツの襟首掛け紐で、襟首に掛けるときは、ワイシャツ襟首掛紐の輪を大きくして襟首に掛け「紐下げ吊り輪を持ち」３ワイシャツの「ネクタイの紐を押え上下移動する」襟首掛け紐上下調節支持物を上に持ち上げ襟首の締め付けを任意調節する、ネクタイを外すときは「ネクタイの上部を持ち」襟首掛け紐上下調節支持物を下に下げ紐を上げると紐の輪が大きくなりワイシャツの襟首より外す、２はネクタイ正面本体部、４はネクタイ裏側本体部、５はネクタイの形状を整えるネクタイ絞り部、「６は襟首掛け紐上下調節支持物ストッパー」、「７は紐下げ吊り輪」
【手続補正９】
【補正対象書類名】明細書
【補正対象項目名】０００９
【補正方法】変更
【補正の内容】
【０００９】１  ワイシャツ襟首掛紐
２  ネクタイ正面本体部
３  襟首掛け紐上下調節支持物
４  ネクタイ裏側本体部
５  ネクタイ裏側絞り部
６  襟首掛け紐上下調節支持物ストッパー
７  紐下げ吊り輪
【手続補正１０】
【補正対象書類名】図面
【補正対象項目名】全図
【補正方法】変更
【補正の内容】
【図１】
0003234038.tif 000008
【図２】
0003234038.tif 000009
【図３】
0003234038.tif 000010
【図４】
0003234038.tif 000011
【図５】
0003234038.tif 000012
【手続補正書】
【提出日】令和3年1月20日(2021.1.20)
【手続補正１】
【補正対象書類名】実用新案登録請求の範囲
【補正対象項目名】全文
【補正方法】変更
【補正の内容】
【実用新案登録請求の範囲】
【請求項１】
ネクタイ上部を逆三角形にし開口部を設けて紐をつけ、紐をワイシャツ襟首に掛け、更に前記紐を通したネクタイの紐を押え上下移動する反動性のもので内側に突起物をつけて任意のところで止まる襟首掛け紐上下調節支持物をネクタイの裏側につけることにより、ワイシャツ襟首掛け後のネクタイの上下任意調節、着脱が可能である、ネクタイの概観、形状は既存のネクタイと遜色が無いワイシャツ襟首掛け紐付きネクタイ。
【手続補正２】
【補正対象書類名】明細書
【補正対象項目名】０００１
【補正方法】変更
【補正の内容】
【０００１】  本考案はネクタイの簡易早急装看、着脱及びネクタイの紐を押え上下移動する反動性のもので内側に突起物をつけて任意のところで止まる襟首掛け紐上下調節支持物による任意調節で、襟首圧迫感の開放とネクタイの外観、形状は既存のネクタイと遜色がないこと。
【手続補正３】
【補正対象書類名】明細書
【補正対象項目名】０００３
【補正方法】変更
【補正の内容】
【０００３】  従来のネクタイは、ワイシャツの襟の上より襟首回りの結び締め付け後に容姿を整えてきましたが、従来のネクタイの結び締め付けを変えて、襟首紐掛け式にして早急に装着と着脱ができること及びネクタイの紐を押え上下移動する反動性のもので内側に突起物をつけて任意のところで止まる襟首掛け紐上下調節支持物により、襟首圧迫からの開放と、ネクタイの外観形状は既存のネクタイと遜色がないこと。
【手続補正４】
【補正対象書類名】明細書
【補正対象項目名】０００４
【補正方法】変更
【補正の内容】
【０００４】  本考案はネクタイ上部を逆三角形とし、左右に開口部を設けて紐をつけ、更にネクタイの紐を押え上下移動する反動性のもので内側に突起物をつけて任意のところで止まる襟首掛け紐上下調節支持物でネクタイの上下調節が可能である、襟首掛け紐をワイシャツの襟首に掛けるときは紐の輪を大きくして掛けた後、紐の最下部を持ち、襟首掛け紐を引張り、襟首掛け紐上下調節支持物を上に持ち上げて任意のところで止める、紐を緩めるときはネクタイの上部を持ち、襟首掛け紐上下調節支持物を下に引張り、紐を持ち上げるとワイシャツの襟首回りの輪が大きくなり、紐を外すことが出来る。
【手続補正５】
【補正対象書類名】明細書
【補正対象項目名】０００５
【補正方法】変更
【補正の内容】
【０００５】  首掛け紐をワイシャツの襟に掛けるときは、紐の輪を大きくして掛けた後、紐の最下部を持ち、襟首掛け紐を引張りネクタイの紐を押え上下移動する反動性のもので内側に突起物をつけて任意のところで止まる襟首掛け紐上下調節支持物を上に持ち上げることによりワイシャツの襟の首回の締め付け任意調節が可能である、紐を緩めるときは、ネクタイの上部を持ち、襟首掛け紐上下支持物を下に引張り、紐を持ち上げると、首回りの輪が大きくなり、紐を外すことが出来る。
【手続補正６】
【補正対象書類名】明細書
【補正対象項目名】０００６
【補正方法】変更
【補正の内容】
【０００６】
【図１】本考案のワイシャツ襟首掛け紐始動時の装着正面図、右側面図
【図２】本考案のワイシャツ襟首掛け紐調節後の装着正面図、右側面図
【図３】本考案のワイシャツ襟首掛け紐始動時の装着背面図、右側面図
【図４】本考案のワイシャツ襟首掛け紐調節後の装着背面図、右側面図
【図５】本考案のワイシャツ襟首掛け紐調節支持物の拡大図、上面図、背面図
【手続補正７】
【補正対象書類名】明細書
【補正対象項目名】０００７
【補正方法】変更
【補正の内容】
【０００７】  首掛け紐をワイシャツの襟に掛けるときは、紐の輪を大きくして掛けた後、紐の最下部を持ち、襟首掛け紐を引張り、ネクタイの紐を押え上下移動する反動性のもので内側に突起物をつけて任意のところで止まる襟首掛け紐上下調節支持物を上に持ち上げることによりワイシャツの襟の首回りの締め付け任意調節が可能である、紐を緩めるときはネクタイの上部を持ち襟首掛け紐上下調節支持物を下に引張り、紐を持ち上げるとワイシャツの首回りの輪が大きくなり紐を外すことが出来る。
【手続補正８】
【補正対象書類名】明細書
【補正対象項目名】０００８
【補正方法】変更
【補正の内容】
【０００８】  以下、添付図面に従って一実施例を説明する。１はワイシャツの襟首掛け紐で、襟首に掛けるときは、ワイシャツ襟首掛紐の輪を大きくして襟首に掛け紐の最下部を持ち、３のワイシャツのネクタイの紐を押え上下移動する反動性のもので内側に突起物をつけて任意のところで止まる襟首掛け紐上下調節支持物を上に持ち上げ、襟首の締め付けを任意調節する、ネクタイを外すときは、ネクタイの上部を持ち、襟首掛け紐上下調節支持物を下に下げ紐を上げると紐の輪が大きくなりワイシャツの襟首より外す、２はネクタイの正面本体部、４はネクタイ裏側本体部、５はネクタイの形状を整えるネクタイ裏側絞り部、６はは突起物
【手続補正９】
【補正対象書類名】明細書
【補正対象項目名】０００９
【補正方法】変更
【補正の内容】
【０００９】１  ワイシャツ襟首掛紐
２  ネクタイ正面本体部
３  襟首掛け紐上下調節支持物
４  ネクタイ裏側本体部
５  ネクタイ裏側絞り部
６  突起物
【手続補正１０】
【補正対象書類名】図面
【補正対象項目名】全図
【補正方法】変更
【補正の内容】
【図１】
0003234038.tif 000013
【図２】
0003234038.tif 000014
【図３】
0003234038.tif 000015
【図４】
0003234038.tif 000016
【図５】
0003234038.tif 000017
【手続補正書】
【提出日】令和3年5月1日(2021.5.1)
【手続補正１】
【補正対象書類名】実用新案登録請求の範囲
【補正対象項目名】全文
【補正方法】変更
【補正の内容】
【実用新案登録請求の範囲】
【請求項１】
ネクタイ上部を逆三角形にし開口部を設けて紐をつけ、紐をワイシャツ襟首に掛け、更に前記紐を通したネクタイの紐を押え上下移動する襟首掛け紐上下調節支持物をネクタイの裏側につけることにより、ワイシャツ襟首掛けのネクタイの上下任意調節、着脱が可能である、ネクタイの概観、形状は既存のネクタイと遜色が無いワイシャツ襟首掛け紐付きネクタイ。
【手続補正２】
【補正対象書類名】明細書
【補正対象項目名】０００１
【補正方法】変更
【補正の内容】
【０００１】  本考案はネクタイの簡易早急装着、着脱及びネクタイの紐を押え上下移動する襟首掛け上下調節支持物による任意調節で、襟首圧迫感の開放とネクタイの外観、形状は既存のネクタイと遜色がないこと。
【手続補正３】
【補正対象書類名】明細書
【補正対象項目名】０００３
【補正方法】変更
【補正の内容】
【０００３】  従来のネクタイは、ワイシャツの襟の上より襟首回りの結び締め付け後に容姿を整えてきましたが、従来のネクタイの結び締め付けを変えて、襟首紐掛け式にして早急に装着と着脱ができること及びネクタイの紐を押え上下移動する襟首掛け紐上下調節支持物により襟首圧迫感からの開放と、ネクタイの外観形状は既存のネクタイと遜色がないこと。
【手続補正４】
【補正対象書類名】明細書
【補正対象項目名】０００４
【補正方法】変更
【補正の内容】
【０００４】  本考案はネクタイ上部を逆三角形とし、左右に開口部を設けて紐をつけ、更にネクタイの紐を押え上下移動する襟首掛け紐上下調節支持物でネクタイの上下調節が可能である、襟首掛け紐をワイシャツの襟首に掛けるときは紐の輪を大きくして掛けた後、紐の最下部を持ち、襟首掛け紐を引張り、襟首掛け紐上下調節支持物を上に持ち上げて任意のところで止める、紐を緩めるときはネクタイの上部を持ち、襟首掛け紐上下調節支持物を下に引張り、紐を持ち上げるとワイシャツの襟首回りの輪が大きくなり、紐を外すことが出来る。
【手続補正５】
【補正対象書類名】明細書
【補正対象項目名】０００５
【補正方法】変更
【補正の内容】
【０００５】  襟首掛け紐をワイシャツの襟に掛けるときは、紐の輪を大きくして掛けた後、紐の最下部を持ち、襟首掛け紐を引張りネクタイの紐を押え上下移動する襟首掛け紐上下調節支持物を上に持ち上げることによりワイシャツの襟首回りの締め付け任意調節が可能である、紐を緩めるときは、ネクタイの上部を持ち、襟首掛け紐上下調節支持物を下に引張り、紐を持ち上げると、首回りの輪が大きくなり、紐を外すことが出来る。
【手続補正６】
【補正対象書類名】明細書
【補正対象項目名】０００６
【補正方法】変更
【補正の内容】
【０００６】
【図１】本考案のワイシャツ襟首掛け紐始動時の装着正面図、右側面図
【図２】本考案のワイシャツ襟首掛け紐調節後の装着正面図、右側面図
【図３】本考案のワイシャツ襟首掛け紐始動時の装着背面図、右側面図
【図４】本考案のワイシャツ襟首掛け紐調節後の装着背面図、右側面図
【手続補正７】
【補正対象書類名】明細書
【補正対象項目名】０００７
【補正方法】変更
【補正の内容】
【０００７】  襟首掛け紐をワイシャツの襟に掛けるときは、紐の輪を大きくして掛けた後、紐の最下部を持ち、襟首掛け紐を引張り、ネクタイの紐を押え上下移動する襟首掛け紐上下調節支持物を上に持ち上げることによりワイシャツの襟首回りの締め付け任意調節が可能である紐を緩めるときはネクタイの上部を持ち襟首掛け紐上下調節支持物を下に引張り、紐を持ち上げるとワイシャツの首回りの輪が大きくなり紐を外すことが出来る。
【手続補正８】
【補正対象書類名】明細書
【補正対象項目名】０００８
【補正方法】変更
【補正の内容】
【０００８】  以下、添付図面に従って一実施例を説明する。１はワイシャツの襟首掛け紐で、襟首に掛けるときは、ワイシャツ襟首掛紐の輪を大きくして襟首に掛け紐の最下部を持ち、３のワイシャツのネクタイの紐を押え上下移動する襟首掛け紐上下調節支持物を上に持ち上げ襟首の締め付けを任意調節する、ネクタイを外すときは、ネクタイの上部を持ち、襟首掛け紐上下調節支持物を下に下げ紐を持ち上げると、紐の輪が大きくなりワイシャツの襟首より外す、２はネクタイの正面本体部、３は襟首掛け紐上下調節支持物、４はネクタイ裏側本体部、５はネクタイの形状を整えるネクタイ裏側絞り部
【手続補正９】
【補正対象書類名】明細書
【補正対象項目名】０００９
【補正方法】変更
【補正の内容】
【０００９】１  ワイシャツ襟首掛紐
２  ネクタイ正面本体部
３  襟首掛け紐上下調節支持物
４  ネクタイ裏側本体部
５  ネクタイ裏側絞り部
【手続補正１０】
【補正対象書類名】図面
【補正対象項目名】全図
【補正方法】変更
【補正の内容】
【図１】
0003234038.tif 000018
【図２】
0003234038.tif 000019
【図３】
0003234038.tif 000020
【図４】
0003234038.tif 000021